(57)【要約】【課題】縦枠やガラス板を破損することなく、縦枠及びガラス板の左右方向の移動をも規制することのできるガラス板付き手摺の提供。【解決手段】複数の支柱３を互いに間隔をあけて立設する。複数の支柱３の正面側に架け渡すよう上下に間隔をあけて上枠４及び下枠５を設ける。複数の縦枠６を支柱３の正面側に位置するよう上枠４及び下枠５間に設ける。上枠４、下枠５及び縦枠６によって囲まれる空間にガラス板７を配置する。縦枠６に、その背面部から突出する脚部８を形成する。支柱３に、正面側に突出して縦枠６の脚部８を左右方向に挟持する一対の挟持片９を形成する。挟持片９に、左右方向で内向きに突出して脚部８を受ける枠座１０を形成する。枠座１０で、縦枠６の正面側への移動を規制する。【選択図】  図２
2020180478.tif 000002
【特許請求の範囲】
【請求項１】
互いに間隔をあけて立設された複数の支柱と、該複数の支柱の正面側に架け渡すよう上下に間隔をあけて設けられた上枠及び下枠と、前記支柱の正面側に位置するよう上枠及び下枠間に設けられた複数の縦枠とを備え、前記上枠、下枠及び縦枠によって囲まれる空間にガラス板が配置されたガラス板付き手摺であって、
前記縦枠に、その背面部から左右に突出する脚部が形成されると共に、前記支柱に、正面側に突出して縦枠の脚部を左右方向に挟持する一対の挟持片が形成され、前記挟持片に、縦枠の正面側への移動を規制するよう左右方向で内向きに突出して脚部を受ける枠座が形成されたことを特徴とするガラス板付き手摺。
【請求項２】
前記脚部に、平面視で左右方向に対する縦枠の傾斜を規制するよう、前記挟持片の枠座の先端に当接するストッパーが形成されたことを特徴とする請求項１に記載のガラス板付き手摺。
【請求項３】
前記ガラス板の側縁部がシール材を介して縦枠と一体化されたことを特徴とする請求項１又は２に記載のガラス板付き手摺。
【請求項４】
前記ガラス板の側縁部と前記枠座との間にシール材が介装されたことを特徴とする請求項１、２又は３に記載のガラス板付き手摺。
【発明の詳細な説明】
【技術分野】
【０００１】
本発明は、複数の支柱に上枠及び下枠を架け渡し、その上枠及び下枠と縦枠とで囲まれる空間にガラス板を配置した構造とされ、例えば、ベランダの外縁部に設置されるガラス板付き手摺に関するものである。
【背景技術】
【０００２】
一般に、ベランダの外縁部などには、人や物の落下を防止するための手摺が設置されており、さらに、手摺にガラス板を取り付けて、外部からの風雨の侵入を遮断することがある（例えば、特許文献１）。
【０００３】
特許文献１の手摺は、複数の支柱１０１に架け渡した上枠及び下枠間にガラス板１０２を取り付けると共に、ガラス板１０２の目地部にアルミ製目地枠（縦枠）１０３を取り付けた構造とされる。さらに、アルミ製目地枠１０３に被係止爪１０４を形成すると共に、支柱１０１に係止爪１０５を形成し、アルミ製目地枠１０３を一方向側から摺動させることによって、被係止爪１０４を係止爪１０５に係止させ、支柱１０１にアルミ製目地枠１０３を取り付けるようになっている。
【先行技術文献】
【特許文献】
【０００４】
【特許文献１】特開２０１０−２０９５９８（段落番号００２２、００２３、００２６、００２７、図１６（ｂ））
【発明の概要】
【発明が解決しようとする課題】
【０００５】
ところが、特許文献１におけるアルミ製目地枠（縦枠）は、その全体を左右方向に摺動させて、被係止爪を支柱の係止爪に係止させるので、アルミ製目地枠及びガラス板の前後方向の移動を十分に規制することができるものの、左右方向の移動の規制が不十分になりやすい。
【０００６】
これに対し、圧入によって被係止爪を係止爪に係止させることにより、アルミ製目地枠及びガラス板の左右方向の移動を強く規制することが考えられるが、その圧入の際にアルミ製目地枠やガラス板を破損するおそれがある。
【０００７】
本発明は、縦枠やガラス板を破損することなく、縦枠及びガラス板の左右方向の移動をも規制することのできるガラス板付き手摺の提供を目的とする。
【課題を解決するための手段】
【０００８】
上記目的を達成するために、本発明に係るガラス板付き手摺は、互いに間隔をあけて立設された複数の支柱と、この複数の支柱の正面側に架け渡すよう上下に間隔をあけて設けられた上枠及び下枠と、支柱の正面側に位置するよう上枠及び下枠間に設けられた複数の縦枠とを備え、上枠、下枠及び縦枠によって囲まれる空間にガラス板を配置したものであり、縦枠に、その背面部から左右に突出する脚部を形成すると共に、支柱に、正面側に突出して縦枠の脚部を左右方向に挟持する一対の挟持片を形成し、挟持片に、縦枠の正面側への移動を規制するよう左右方向で内向きに突出して脚部を受ける枠座を形成したものである。
【０００９】
上記構成によれば、縦枠の脚部を支柱の挟持片で左右方向に挟持し、その挟持片に形成した枠座で脚部を受けて、縦枠の正面側への移動を規制するので、枠座を避けるように縦枠を傾斜させて、その脚部を一対の挟持片の間に挿入するだけで、縦枠を支柱に取り付けることができる。これにより、縦枠を支柱に取り付ける際に、縦枠自体に無理な力を加える必要がなく、縦枠やガラス板を破損することなく、縦枠及びガラス板の前後方向の移動を規制すると共に、左右方向の移動をも規制することができる。
【００１０】
また、脚部に、平面視で左右方向に対する縦枠の傾斜を規制するよう、挟持片の枠座の先端に当接するストッパーを形成するようにしてもよい。
【００１１】
この構成によると、脚部にストッパーを形成し、このストッパーを挟持片の枠座の先端に当接させて縦枠の傾斜を規制するので、例えば、縦枠がガラス板から左右方向の力を受けた際、その左右方向の力によって縦枠が傾斜するのを防止することができる。これにより、ガラス板に左右方向の力が作用するような場合であっても、縦枠が傾斜して脚部が枠座から外れ、縦枠が支柱の挟持片から外れるのを防止することができる。
【００１２】
また、ガラス板の側縁部を、シール材を介して縦枠と一体化するようにしてもよい。
【００１３】
この構成によると、シール材によってガラス板の側縁部と縦枠とを一体化するので、通常の状態においては、上枠及び下枠でガラス板を前後方向に支持し、このガラス板を介して、縦枠を前後方向に支持することができる。なお、上記の通り、縦枠の左右方向の移動は、支柱の挟持片で規制することができ、前後方向に強い力を受けた際には、挟持片に形成した枠座で脚部を受けて、縦枠の正面側への移動を規制し、縦枠の外れを阻止することができる。
【００１４】
また、ガラス板の側縁部と枠座との間にシール材を介装するようにしてもよい。
【００１５】
この構成によると、ガラス板の側縁部と枠座との間のシール材を介して、正面側からガラス板に作用する力を支柱の枠座に伝えることができ、縦枠及びガラス板をより確実に保持することができる。
【発明の効果】
【００１６】
以上のとおり、本発明によると、縦枠の脚部を支柱の挟持片で左右方向に挟持し、その挟持片に形成した枠座で脚部を受けて、縦枠の正面側への移動を規制するようにしている。これにより、縦枠自体に無理な力を加えることなく、支柱に縦枠を取り付けることができ、縦枠やガラス板を破損することなく、縦枠及びガラス板の前後方向の移動を共に規制すると共に、左右方向の移動を規制することができる。
【図面の簡単な説明】
【００１７】
【図１】本発明に係るガラス板付き手摺の正面図
【図２】図１のＡ−Ａ断面図
【図３】図２の要部拡大図
【図４】縦枠及びガラス板を取り付ける手順を説明する図
【図５】従来のガラス板付き手摺の要部断面図
【発明を実施するための形態】
【００１８】
以下、本発明に係るガラス板付き手摺を実施するための形態について、図面を用いて説明する。
【００１９】
図１〜図３に示すように、ガラス板付き手摺１は、例えば、ベランダの外縁部２に設置して、人や物の落下を防止すると共に、外部からの風雨の侵入を遮断するためのものであり、互いに間隔をあけて立設された複数の支柱３と、複数の支柱３の正面側に架け渡すよう上下に間隔をあけて設けられた上枠４及び下枠５と、支柱３の正面側に位置するよう上枠４及び下枠５間に設けられた複数の縦枠６とを備え、上枠４、下枠５及び縦枠６によって囲まれる空間にガラス板７を配置したものである。さらに、縦枠６には、その背面部から左右に突出する脚部８が形成され、支柱３には、正面側に突出して縦枠６の脚部８を左右方向に挟持する一対の挟持片９が形成され、その挟持片９に、左右方向で内向きに突出して脚部８を受ける枠座１０が形成されている。
【００２０】
支柱３は、例えばアルミニウム製で、断面が中空かつ長方形の柱部材とされて、その正面に左右一対の挟持片９及び枠座１０が一体に形成され、それぞれの挟持片９及び枠座１０が左右方向で内向きのＬ形断面を構成している。挟持片９及び枠座１０は、縦枠６の脚部８を左右に挟むように位置して、縦枠６の左右方向への移動を規制すると共に、縦枠６の正面側への移動を規制するようになっている。
【００２１】
上枠４は、例えばアルミニウム製で、支柱３の頂部全体から正面側に突出する範囲を覆う部材幅に設定され、複数の支柱３に架け渡すように設けられている。上枠４のうちの支柱３よりも正面側に突出する部位の下面側には、ガラス板７の上縁を保持するガラス溝が形成されている。
【００２２】
下枠５は、例えばアルミニウム製で、複数の支柱３に架け渡すように設けられ、支柱３の正面部に取り付けられて正面側に突出している。下枠５のうちの支柱３よりも正面側に突出する部位の上面側には、上枠４のガラス溝と前後方向の位置を合わせてガラス溝が形成され、ガラス板７の下縁を保持している。
【００２３】
縦枠６は、例えばアルミニウム製で、正面板１１及び脚部８と両者を繋ぐ腹板１２とからなる断面Ｈ形の部材とされ、その脚部８の側縁部を枠座１０の背面側に重ねるように、支柱３の正面側に配置される。
【００２４】
正面板１１は、支柱３よりも幅狭で、支柱３の一対の挟持片９の外間隔とほぼ同一幅の板状とされ、その背面側にパッキン１３が取り付けられている。
【００２５】
脚部８は、支柱３の一対の挟持片９の内間隔よりも僅かに幅狭で、支柱３の一対の枠座１０の内間隔よりも幅広の板状とされ、枠座１０に重なる部位よりも僅かに内側に、正面側に突出して縦枠６の傾斜を規制するストッパー１４が形成されている。ストッパー１４は、縦枠６が平面視で左右方向に対して傾斜しようとする際、挟持片９の枠座１０の先端に当接することにより、縦枠６が傾斜しながら枠座１０から外れるのを防止する。
【００２６】
ガラス板７は、上下方向の寸法を上枠４及び下枠５の内間隔よりも大きく設定されると共に、左右方向の寸法を縦枠６の中心間隔よりも僅かに小さく設定された四角形状とされ、上枠４及び下枠５のガラス溝に嵌って上縁及び下縁を保持される。
【００２７】
このガラス板７は、パッキン１３及びシール材１５を介して縦枠６の正面板１１と脚部８との間に側縁部を保持され、ガラス板７の側縁部が縦枠６と一体化されている。ガラス板７の側縁部と縦枠６の脚部８との間に介装されたシール材１５は、左右方向で外側に膨出して、ガラス板７の側縁部と枠座１０の正面との間に侵入し、ガラス板７の側縁部の背面側への移動をより確実に規制する。
【００２８】
次に、図４を参照し、縦枠６及びガラス板７を取り付ける手順を説明する。
【００２９】
まず、図４（ａ）に示すように、ガラス板７を上枠４及び下枠５のガラス溝に嵌め込んで、支柱３よりも右側に位置させた後、支柱３の正面側に縦枠６を配置し、この縦枠６を傾斜させて左の脚部８を一対の挟持片９の間に挿入する。
【００３０】
次いで、図４（ｂ）〜図４（ｅ）に示すように、縦枠６の傾斜を戻しながら、右の脚部８を一対の挟持片９の間に挿入して、脚部８の全体を枠座１０よりも背面側に配置しつつ、縦枠６の脚部８及び正面板１１を先のガラス板７の側縁部を前後に挟む位置に移動させる。このとき、ストッパー１４は、一対の枠座１０の間に十分に侵入しておらず、縦枠６の傾斜を阻害することがない。
【００３１】
図４（ｆ）に示すように、次のガラス板７を上枠４及び下枠５のガラス溝に嵌め込んで、先のガラス板７との間に縦枠６を挟むように、次のガラス板７を支柱３よりも左側に位置させる。その後、左右のガラス板７について、その側縁部と脚部８との間にシール材１５を介装することにより、パッキン１３及びシール材１５を介して、縦枠６の正面板１１と脚部８との間にガラス板７の側縁部を保持する。
【００３２】
さらに、シール材１５をガラス板７の側縁部と枠座１０の正面との間にも介装することにより、ガラス板７の側縁部と一体化された縦枠６を正面側に移動させる。これにより、脚部８の側縁部を枠座１０の背面側に重ねると共に、ストッパー１４を一対の枠座１０の間に侵入させて縦枠６の傾斜を阻止し、枠座１０からの縦枠６の外れを防止して、縦枠６及びガラス板７の取り付けが完了する。
【００３３】
なお、本発明は、上記の実施の形態に限定されるものではなく、本発明の範囲内において、適宜変更を加えることができる。例えば、シール材１５は、必ずしもガラス板７の側縁部と枠座１０との間に介装する必要はなく、上枠４及び下枠５に保持されたガラス板７を介して縦枠６を固定するようにしてもよい。また、シール材１５を介してガラス板７の側縁部を縦枠６と一体化する必要はなく、支柱３及び枠座１０によって縦枠６の移動を規制するようにしてもよい。また、他の手段によって縦枠６の外れを防止できるようにすれば、ストッパー１４を設ける必要はない。
【符号の説明】
【００３４】
１      ガラス板付き手摺
２      ベランダの外縁部
３      支柱
４      上枠
５      下枠
６      縦枠
７      ガラス板
８      脚部
９      挟持片
１０    枠座
１１    正面板
１２    腹板
１３    パッキン
１４    ストッパー
１５    シール材
【図１】
2020180478.tif 000003
【図２】
2020180478.tif 000004
【図３】
2020180478.tif 000005
【図４】
2020180478.tif 000006
【図５】
2020180478.tif 000007
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
互いに間隔をあけて立設された複数の支柱と、該複数の支柱の正面側に架け渡すよう上下に間隔をあけて設けられた上枠及び下枠と、前記支柱の正面側に位置するよう上枠及び下枠間に設けられた複数の縦枠とを備え、前記上枠、下枠及び縦枠によって囲まれる空間にガラス板が配置されたガラス板付き手摺であって、
前記縦枠に、その背面部から左右に突出する脚部が形成されると共に、前記支柱に、正面側に突出して縦枠の脚部を左右方向に挟持する一対の挟持片が形成され、前記挟持片に、縦枠の正面側への移動を規制するよう左右方向で内向きに突出して脚部を受ける枠座が形成され、
前記脚部に、平面視で左右方向に対する縦枠の傾斜を規制するよう、前記挟持片の枠座の先端に当接するストッパーが形成されたことを特徴とするガラス板付き手摺。
【請求項２】
前記ガラス板の側縁部がシール材を介して縦枠と一体化されたことを特徴とする請求項１に記載のガラス板付き手摺。
【請求項３】
前記ガラス板の側縁部と前記枠座との間にシール材が介装されたことを特徴とする請求項１又は２に記載のガラス板付き手摺。